(57)【要約】【課題】男性用のパンツにおいて、局部のシルエットを見栄え良くする。【解決手段】前身頃本体布の局部を覆う位置に、上端開口のパッド収容部を設け、該パッド収容部内に弾性片からなるパッドが収容可とされる構成としている。パット収容時には、該パッド収容部内に、薄肉偏平で前方に向けて円弧状に膨らませた形状からなる前記パッドが収容され、該パッドの下端が前記前身頃本体布あるいはパッド収容部に取り付けられていると共に、左右両側縁および上縁は前身項本体布およびパッド収容部と遊離させている。【選択図】図５
2007277737.tif 000002
【特許請求の範囲】
【請求項１】
前身頃本体布の局部を覆う位置に、上端開口のパッド収容部を設け、該パッド収容部内に弾性片からなるパッドが収容可とされる構成としていることを特徴とする男性用パンツ。
【請求項２】
前記前身項本体布は前開きが設けられておらず、該前身項本体布に前記パッド収容部が設けられ、該パッド収容部内に、薄肉偏平で前方に向けて円弧状に膨らませた形状からなる前記パッドが収容され、該パッドの下端が前記前身頃本体布あるいはパッド収容部に取り付けられていると共に、左右両側縁および上縁は前身項本体布およびパッド収容部と遊離させている請求項１に記載の男性用パンツ。
【請求項３】
前記パッドはウレタン、発泡ポリエチレン、不織布、ダブルラッセル、ダンボールニットから選択される弾性材からなり、その厚さは２．５ｍｍ〜４．０ｍｍとされると共に、全周縁に沿って圧縮して厚さを薄くした薄肉周縁部が設けられている請求項１または請求項２に記載の男性用パンツ。
【請求項４】
前記パッド収容部に収容するパッドは、上下長さ最大寸法が１４０〜１８０ｍｍの範囲とされ、左右幅最大寸法が１００ｍｍ〜１３０ｍｍとされ、かつ、上端縁は上向き円弧状とされると共に下端縁は下向き円弧状とされると共に、該円弧状の上端縁と下端縁を結ぶ左右両側縁は下方に向けて近接方向に傾斜させており、
前記パッドを収容する前記パッド収容部は、その上端をウエストラインに近接して位置すると共に下端は股部まで延在させている請求項１乃至請求項３のいずれか１項に記載の男性用パンツ。
【請求項５】
前記パット収容部は前身頃本体布の肌側に設けられ、該前身項本体布およびパッド収容部を構成する布は、横方向より縦方向に伸びる伸縮性編地から形成されている一方、前記パッド収容部に収容するパッドの伸び率は前記前身項本体布およびパッド収容部の構成布の伸び率よりも小さくされている請求項１乃至請求項４のいずれか１項に記載の男性用パンツ。
【請求項６】
前記パッド収容部は前中心位置で縫着される一対の布から構成され、かつ、該パッド収容部の下端が股部の前縁に位置し、該股部の左右両側の大腿部に足回り端が位置するトランクス形状とされている請求項１乃至請求項５のいずれか１項に記載の男性用パンツ。
【発明の詳細な説明】
【技術分野】
【０００１】
本発明は、男性用パンツに関し、特に、着用感を損なうことなく局部のシルエットを見栄え良くするものである。
【背景技術】
【０００２】
従来から、男性用パンツにおいても、女性用で言えばブラジャーのように、局部の膨らみによるシルエットを整え、外形をスムーズに見せて見栄えを良くするパットが提供されている。
【０００３】
例えば、特開平８−１００３０１号公報（特許文献１）では、図８に示されるように、局部のみを収納する収納体１からなる男性用パッドが提供されている。該パッドは柔軟性を有する軽量の部材で作られ、局部を収納するように装着した後に、水着やスパッツ等の肌に密着するパンツ２を着用することにより、該パンツ２でパッドを肌側に押さえて固定している。
即ち、特許文献１のパッドはスパッツ等の肌に密着するパンツ２を別に着用することが前提とされており、通常着用しているパンツでは、パッドを固定する程の強い密着力で肌に密着させていないため使用することはできない。かつ、パンツと別体であるため、用便が非常に出来にくい構成となり、特別な条件下でしか利用することができない。
さらに、特許文献１のようにスパッツ等でパッドを押さえる構成とすると、スパッツ自体が着用者の激しい運動で移動すると、パッドもずれたり変形したりする恐れがある。
【０００４】
また、スパッツを着用した運動時、競泳用水着を着用した時は局部の形状が直接的に外観されるため、これらスパッツや水着の下にパッドを着用することが考えられるが、これらの特殊な状況下に限らず、ジーンズ等の比較的身体にぴったりとしたズボンを着用した場合においても、局部のシルエットが外面に現れやすいため、見栄え良くしたい要望がある。
【０００５】
一方、実用新案登録２４３０２２３号公報（特許文献２）では、図９に示す局部整形用の下ばきが提供されている。該下ばき３は下ばき前部４の局部を覆う部分に、局部を収容する整形部６を設け、下ばき前部４の内側全体に硬質合成樹脂層５を設けて、整形部６の形状を固定している。
この特許文献２の下ばきにおいては、下ばき前部４の局部を覆う部分を前方に突出させただけであるため、激しい運動等により下ばきが移動すると整形部６の位置も移動し、局部と位置ずれが生じることとなり、局部のホールド性能が悪い。
また、肌に当たる部分が硬質合成樹脂層５となるため、肌当たりがきつく、着用感が非常に悪い問題がある。
【０００６】
【特許文献１】特開平８−１００３０１号公報
【特許文献２】実用新案第２５３０２２３号公報
【発明の開示】
【発明が解決しようとする課題】
【０００７】
本発明は前記した問題に鑑みてなされたもので、通常時に着用するパンツに、着用感、運動機能を損なわず、かつ、激しい運動等に行った場合においても局部をしっかりとホールドでき、局部のシルエットを外観上に常に見栄えよくする男性用パンツを提供することを課題としている。
【課題を解決するための手段】
【０００８】
前記課題を解決するため、本発明は、前身頃本体布の局部を覆う位置に、上端開口のパッド収容部を設け、該パッド収容部内に弾性片からなるパッドが収容可とされる構成としていることを特徴とする男性用パンツを提供している。
【０００９】
前記のように、本発明の男性用パンツでは、パンツ自体にパッド収容部を設けており、該パッド収容部にパッドを収容することで、パンツとパッドとを一体化する構成としている。よって、パンツとは別に特許文献１、２に開示されたパッドをパンツの下に着用する必要はなく、用便時においてもパンツを降ろすだけでよく、通常時に着用できるものである。
また、パッド収容部にパッドを収容して、その一部を縫着等により固定しておいても良いが、その上端開口から着脱自在にパッドを収容できるようにしてもよい。その場合、着用者は、着用時の状況や好みに応じて厚さ、固さ等が相違するパッドを任意に選択して収容できると共に、パッドを入れないで着用することも可能であり、着用時において種々の選択が可能となり、使い勝手のよいパンツとなる。
【００１０】
しかしながら、パッドをパッド収容部に着脱自在とすると、パッド収容部内でパッドが動きやすくなり、かつ、挿入したり取り出したりする手間がかかり、さらに、取り出したパッドが紛失するおそれもある。よって、パッドの厚さを適宜に設定しておくことで、パッド収容部内にパッドを固定して常時収容する構成とすることが好ましい。
【００１１】
よって、本発明の男性用パンツでは、パンツに設けたパッド収容部内に、薄肉偏平で前方に向けて円弧状に膨らませた形状からなるパッドを収容し、該パッドの下端を前記前身頃本体布あるいはパッド収容部に取り付け、この固定した下端を除く左右両側縁および上縁は前身項本体布およびパッド収容部と遊離させておくことが最も好ましい。
【００１２】
前記構成とすると、パッドは局部を適度にホールドし、局部のシルエットをスムーズに整えることができる。また、パットは股部側の下端のみを縫着等で本体布あるいはパッド収容部の布と固定して、他は遊離させているため、パンツの動きとは独立させることができる。よって、パンツは挙動に追従させて伸縮させて、パッドに対してスライドさせることができる一方、パッドはパンツの動きとは独立し、かつ、その股側下端が位置決め固定されているため、局部を覆う位置に常に保持でき、挙動時においても局部をホールド出来ると共に、局部のシルエットを常に見栄えよく保つことができる。
このように、本発明の男性用パンツは、パッドによる局部のシルエットの整形性に加えて、パンツの挙動追従性や着用性をパッドにより阻害しない機能を有する。
かつ、パッドは薄い弾性片で形成しているため、局部の締め付け感が少なく、リラックスした着用感が得られる。
【００１３】
また、パッドの下端を前記前身頃本体布あるいはパッド収容部に取り付けると、パッド収容部内でずれたり、折れ曲がったりすることを防ぐことができる。
前記パッドは下端中央の１カ所、中央と両端の３カ所、あるいは、下辺に沿った略全長を前身頃本体布あるいはパッド収容部の布と縫着することが好ましい。なお、縫着に変えて、接着で固定してもよい。さらに、着脱自在とする場合には、ボタン、スナップ等を使用して、取り付けることもできるようにしてもよい。
【００１４】
前記パッド収容部は前身項本体の肌側あるいは外面側のいずれに設けてもよいが、デザイン性や、パッドを外観できにくくする観点からは裏面側（肌側）に設けることが好ましい。
なお、パッド収容部を前身頃本体の局部を覆う位置に設けているため、本発明のパンツは前開きなしの構成とすることが好ましいが、パッド収容部全体を前開きする片側に設けて前開き構成とすることも可能である。
【００１５】
パッドは、前記のように、薄肉偏平で前方に向けて円弧状に膨らませた形状としているため、局部の膨らみに対応させているため、フィット感を持たせながら局部をホールドすることができる。該パッドは、例えば、シート形状の弾性材を立体的に膨らませた形状に加熱成形し、所望の寸法および形状に打ち抜く等の方法により形成することができる。
【００１６】
前記パッドはウレタン、発泡ポリエチレン、不織布、ダブルラッセル、ダンボールニットから選択される弾性材からなり、その厚さは２．５ｍｍ〜４．０ｍｍとされると共に、全周縁に沿って圧縮して厚さを薄くした薄肉周縁部が設けられていることが好ましい。
前記弾性材は１種類の素材からなるものでもよいし、２種類以上の素材が組み合わされてなるものでもよい。２種類以上の素材を組み合わせる方法の一例としては、接着剤及び熱接着によるラミネート、縫製（縫い合わせ）等による方法が挙げられる。
【００１７】
前記パッドの厚さを２．５ｍｍ〜４．０ｍｍとしているのは、パッドが２．５ｍｍより薄いとパッドが薄過ぎて、局部のシルエットを十分に整えることができないおそれがあるため好ましくないからである。さらに、パッドを薄くすると弾性が小さくなるため、端が折れたり、ねじれたりして、変形しやすくなるおそれもある。また、パッドが４．０ｍｍより厚いと局部のシルエットは整えることができるが、自然なシルエットが得られにくく、着用者に暑苦しさを感じさせてしまうおそれもある。
【００１８】
前記パッドに薄肉周縁部が設けることにより、パッド端部のほつれ等を防ぎ、端部の強度を保持できると共に、パッドの形態安定性を高めることができる。また、端部が薄肉となっていることで、局部のシルエットをスムーズにすることができる。
前記薄肉周縁部は、例えば、全周縁に沿って加熱圧縮する等の方法により設けることができる。
【００１９】
前記パッド収容部に収容するパッドは、上下長さ最大寸法が１４０〜１８０ｍｍの範囲、左右幅最大寸法が１００ｍｍ〜１３０ｍｍの範囲とされ、かつ、上端縁は上向き円弧状とされると共に下端縁は下向き円弧状とされると共に、該円弧状の上端縁と下端縁を結ぶ左右両側縁は下方に向けて近接方向に傾斜させた形状とする一方、
前記パッドを収容する前記パッド収容部は、その上端をウエストラインに近接して位置すると共に下端は股部まで延在させていることが好ましい。
【００２０】
前記パッド収容部に収容するパッドの最大寸法を前記範囲としているのは、局部を覆うには十分な寸法であり、かつ、シルエットを整えるために好適な寸法であることによる。
また、前記パッドの形状が、上端縁は上向き円弧状で、下端縁は下向き円弧状とされ、該円弧状の上端縁と下端縁を結ぶ左右両側縁は下方に向けて近接方向に傾斜させているのは、局部を覆い、シルエットを整えるのに好適な形状であり、角の出っ張りもなく、パッドの動きの妨げになることを防ぐためである。
前記パッドを収容する前記パッド収容部は、その上端をウエストラインに近接して位置すると共に下端は股部まで延在させているのは、前記したような寸法のパッドを収容するために十分な寸法であるためである。
【００２１】
前記前身頃本体布およびパッド収容部を構成する布は、横方向より縦方向に伸びる伸縮性編地から形成されている一方、前記パッド収容部に収容するパッドの伸び率は前記前身項本体布およびパッド収容部の構成布の伸び率よりも小さくされていることが好ましい。
前記のように、パッドの伸び率を小さくしていることにより、パッドによる局部のホールド性を高めることができる。
また、前身頃本体布およびパッド収容部を構成する布を、横方向より縦方向に伸びる伸縮性編地から形成すると、着用時にウエストラインを適度に引き上げて着用者の体型に応じてフィットさせることができる。かつ、挙動時においては、大腿部前面側は上下方向の動きとなるため、この動きに対して、縦方向の伸び縮みにスムーズに追随させることができ、フィット性を高めることができる。
前記本体布およびパッド収容部の布とする伸縮性編地は、弾性繊維を混入した編物、あるいは弾性繊維は含まれていないが編み方により伸縮性を持たせている編物が用いられる。そのうち、特に、ポリウレタン繊維等の弾性繊維を３％〜３０％、好ましくは５％〜２０％含んだ交編編物が好適に用いられる。
【００２２】
前記男性用パンツは、パッド収容部が前中心位置で縫着される一対の布から構成され、かつ、該パッド収容部の下端が股部の前縁に位置し、該股部の左右両側の大腿部に足回り端が位置するトランクス形状とされていることが好ましい。
トランクス形状とすると、裾のくい込みが防止でき、快適な装着感を得ることができる。
なお、トランクス形状であれば、ショート、ロングいずれでもよい。
【発明の効果】
【００２３】
前述したように、本発明の男性用パンツによれば、前身頃本体布の局部を覆う位置に、上端開口のパッド収容部を設け、該パッド収容部内に弾性片からなるパッドを収容できる構成としているので、パッドを収容することにより、局部のシルエットをスムーズに見せることができる。
さらに、パンツと一体的にパッドを取り付け、かつ、パッド自体を薄い偏平な弾性片で形成しているため、違和感なく通常時においても着用できるパンツとすることができる。
【００２４】
さらに、パッド収容部に収容するパッドは、その下端のみを本体布あるいはパッド収容部の布に縫着等で固定して、他は遊離させた構成とすると、パンツ本体をパッドと独立させて身体挙動に応じて追従させることができる一方、パッドは局部を覆う位置に保持でき、局部を常時ホールドすることができる。
【発明を実施するための最良の形態】
【００２５】
本発明の実施形態を図面を参照して説明する。
図１乃至図７は、本発明の実施形態に係るトランクス形状のパンツ１０を示す。
パンツ１０の本体布は、前身頃の中心に位置し、局部を覆うと共に股部まで延在する左右一対の第一布１１（１１Ａ、１１Ｂ）と、第一布１１の外側縁１１ａに縫着され、股部の左右両側位置から後身頃の左右臀部を覆って、股部および股部両側の足回り端の下端まで延在する左右一対の第二布１２（１２Ａ、１２Ｂ）とからなる。
前記第一布１１と第二布１２とは縫着して、第一布１１と第二布１２の前側部分で前身頃本体布を形成し、前開きを設けていない。
なお、本実施形態では、第一布１１と第二布１２の前側部分で前身項本体布を形成しているが、前開きを設けていないため、一枚布から前身項本体布を形成してもよい。
また、前記第二布１２の両端を縫着して足回りを構成し、該足回り端は大腿部までとして、トランクス形状としている。
【００２６】
前身項本体布の肌側の中央には、上端開口のパット収容部２０を設けている。
パッド収容部２０は第三布１３（１３Ａ、１３Ｂ）から形成し、これら２枚の第三布１３Ａ、１３Ｂを互いに前身項中心で縫着すると共に、その外側縁を第一布１１と第二布１２と同時に縫着し、かつ、下端縁を股部位置で背面側の第二布１２と縫着している。
第一布１１、第二布１２、第三布１３は伸縮性編地からなり、本実施形態では天竺編地を用い、横方向より縦方向に伸びるように配置している。
【００２７】
前記のように、前身項中心で第一布１１Ａと１１Ｂとを互いに縫着させることにより、前身頃本体布自体も前身項中心部分も膨出させた立体形状とすることができる。同様に、パッド収容部２０も第三布１３Ａと１３Ｂとを前身項中心で互いに縫着することで、膨出させた立体形状とし、後述するパッド１４の形状に沿わせることができるようにしている。
さらに、前身項中心に縫着ラインを設けることで、前身項中心で左右方向への伸び止めがなされ、局部のホールド性に寄与させることができる。
【００２８】
パッド収容部２０は、その上端をウエストラインに近接して位置させ、パッドを収容可とするために、上端は開口させている。また、下端は局部を十分に覆うようにするため、股部まで延在している。該パッド収容部の下端は股部の前縁に位置し、該股部の左右両側の大腿部に足回り端が位置している。
【００２９】
前記パッド収容部２０内には弾性片からなるパッド１４を、図５（Ａ）のように収容している。パッド１４は厚さ３ｍｍの偏平形状とし、ウレタン、発泡ポリエチレン、不織布、ダブルラッセル、ダンボールニットから選択される弾性材から形成しており、本実施形態ではダンボールニットを用いている。
【００３０】
前記パッド１４は、図４（Ａ）に示すように、上下長さ最大寸法Ｌ１を１６０ｍｍ、左右幅最大寸法Ｌ２を１１５ｍｍとし、上端縁１４ａが上向き円弧状、下端縁１４ｂは下向き円弧状とし、上端縁１４ａと下端縁１４ｂを結ぶ左右両側縁１４ｃ、１４ｄは下方に向けて近接方向に傾斜させた形状としている。該パッド１４の伸び率は前記第一布１１、第二布１２および第三布１３の伸び率よりも小さくしている。
【００３１】
また、パッド１４は全周縁に沿って圧縮し、厚さを薄くした２ｍｍの薄肉周縁部１４ｅを設けている。
さらに、パッド１４は図４（Ｂ）の断面図に示すように、前方に向けて円弧状に膨らませた立体形状になるように加熱成形している。
【００３２】
パッド１４を収容するパッド収容部２０の大きさは、図５に示すように、パッド１４の周縁がパッド収容部２０の内周縁にほぼ接する状態で、パッド１４が丁度収まる大きさとしている。
【００３３】
図６に示すように、パッド１４は、その下端縁１４ｂのみを第三布１３に縫着１６し、上端縁１４ａ、両側縁１４ｃ、１４ｄは縫着せず、遊離させている。
【００３４】
前記構成からなる本発明の男性用パンツ１０では、前身項中央の肌側に設けたパッド収容部２０にパッド１４を収容しているため、着用時において、パッド１４が局部を覆い、パッド１４を前側に膨出させた形状としているため、パンツ１０を着用するだけで、局部のシルエットを見栄えよくすることができる。その際、パッド１４を薄い弾性片から形成しているため、局部に対する圧迫感を発生させず、リラックスした通常の状態とすることができる。
【００３５】
また、パッド１４はその下端縁のみをパッド収容部２０を構成する第三布１４に縫着し、他の両側縁および上縁は縫着せずに遊離させているため、パンツ本体布を構成する第一布１１、第二布１２と、パッド１４とは独立した動きをすることができる。
よって、図７（Ａ）に示すように、挙動時には、パンツ本体布の第一、第二布１１、１２は挙動に追従して上方へと伸びても、パッド１４は本体布に追従して伸びたり、変形することはなく、下端で位置決めされた局部をホールドする位置に保持できる。
一方、挙動に応じて、パンツ本体の元の位置に戻った図７（Ｂ）に示す状態においても、
パッド１４は図７（Ａ）と同じ位置に保持され、着用者のどのような動きをしてもパッド１４により局部をしっかりとホールドできる。
【００３６】
本発明は前記実施形態に限定されず、例えば、パッド１４をパッド収容部２０に収容して、パッドの下端縁を縫着固定しているが、パッドをパッド収容部に着脱自在に取り付ける構成としてもよい。また、パッド収容部２０を前身項本体の肌側に設けているが外側に設けてもよい。
【図面の簡単な説明】
【００３７】
【図１】本発明の実施形態からなる男性用パンツを正面側からみた斜視図である。
【図２】図１のパンツを背面側からみた斜視図である。
【図３】図１のパンツを裏返して正面側からみた斜視図である。
【図４】図１のパンツのパッド収容部に収容するパッドを示し、（Ａ）は正面図、（Ｂ）は断面図である。
【図５】パッドの収容状態を示す断面図である。
【図６】前記パッドの取り付け状態を示す図面である。
【図７】（Ａ）（Ｂ）はパッドとパンツ本体布との動きの関係を示す図面である。
【図８】従来例を示す図面である。
【図９】他の従来例を示す図面である。
【符号の説明】
【００３８】
１０  男性用パンツ
１１  第一布
１２  第二布
１３  第三布
１４  パッド
２０  パッド収容部
【図１】
2007277737.tif 000003
【図２】
2007277737.tif 000004
【図３】
2007277737.tif 000005
【図４】
2007277737.tif 000006
【図５】
2007277737.tif 000007
【図６】
2007277737.tif 000008
【図７】
2007277737.tif 000009
【図８】
2007277737.tif 000010
【図９】
2007277737.tif 000011